【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
階層構造からなる操作画面を表示画面上に表示する情報処理装置であって、
指示体により指示された前記表示画面上の位置を検出する検出手段と、
前記検出手段が検出した位置に基づく入力に対応する処理の内容を、予め辞書に格納された情報に基づいて認識する認識手段と、
前記検出手段が検出した位置に基づく入力が、第１の入力方式による入力であるか、第２の入力方式による入力であるかを判定する判定手段と、
前記判定手段により前記第１の入力方式による入力であると判定された場合、前記認識手段により認識された処理の内容に対応した画面への遷移処理を実施し、前記判定手段により前記第２の入力方式による入力であると判定された場合、前記認識手段により認識された処理の内容に対応した画面よりも上位階層の画面への遷移処理を実施する実行手段と
を具備することを特徴とする情報処理装置。
【請求項２】
ジェスチャーの形状と当該形状に対応する処理の内容とを含むジェスチャー辞書を格納する格納手段をさらに具備し、
前記認識手段は、前記検出手段が連続して検出する複数の位置と、前記ジェスチャー辞書に格納されたジェスチャー形状とを比較した結果に基づき、前記検出手段が検出した位置に基づく入力に対応する処理の内容を認識することを特徴とする請求項１に記載の情報処理装置。
【請求項３】
前記上位階層の画面には、
前記認識された処理の内容に対応する画面への遷移を指示するボタンが設けられ、
前記ボタンには、
前記認識された処理の内容に対応する画面へ前記第１の入力方式による入力により遷移する際に用いられるジェスチャーの形状のプレビューが表示される
ことを特徴とする請求項２に記載の情報処理装置。
【請求項４】
前記上位階層の画面には、
前記認識された処理の内容に対応する画面への遷移を指示するボタンが設けられ、
前記表示画面上には、
前記ボタンの押下に伴って前記認識された処理の内容に対応する画面へ遷移する間に、当該遷移先の画面へ前記第１の入力方式による入力により遷移する際に用いられるジェスチャーの形状のプレビューが表示される
ことを特徴とする請求項２に記載の情報処理装置。
【請求項５】
前記表示画面上を第１の入力領域と第２の入力領域とに分けて管理する領域管理手段
を更に具備し、
前記判定手段は、
前記第１の入力領域で検出された位置に基づく入力を、前記第１の入力方式による入力であると判定し、第２の入力領域で検出された位置に基づく入力を、前記第２の入力方式による入力であると判定する
ことを特徴とする請求項２乃至４のいずれか１項に記載の情報処理装置。
【請求項６】
前記領域管理手段は、印刷の仕上がりイメージを表す用紙プレビュー領域を含むように表示される操作画面のうち、
前記用紙プレビュー領域の内側を第１の入力領域として管理し、前記用紙プレビュー領域の外側を第２の入力領域として管理し、
前記ジェスチャー辞書は、
前記処理の内容として印刷設定を規定し、
前記実行手段は、
前記判定手段により前記第１の入力方式による入力であると判定された場合、前記認識手段により認識された印刷設定を選択可能な画面への遷移処理を実施し、前記判定手段により前記第２の入力方式による入力であると判定された場合、前記認識手段により認識された印刷設定を選択可能な画面よりも上位階層の画面への遷移処理を実施する
ことを特徴とする請求項５に記載の情報処理装置。
【請求項７】
前記ジェスチャー辞書には、
前記ジェスチャーの形状と、当該形状と前記用紙プレビュー領域の位置関係と、当該形状に対応する印刷設定とが対応付けて規定されており、
前記認識手段は、
前記連続する複数の位置が前記用紙プレビュー領域の内側で検出された場合、当該連続する複数の位置が構成する形状と前記ジェスチャーの形状の比較結果と、当該連続する複数の位置と前記用紙プレビュー領域の位置関係とに基づいて、当該検出された位置に基づく入力に対応する印刷設定を認識する
ことを特徴とする請求項６に記載の情報処理装置。
【請求項８】
前記ジェスチャー辞書は、
前記第２の入力方式による入力の開始を指示するジェスチャーの形状を含み、
前記判定手段は、
前記認識手段により前記連続する複数の位置が構成する形状が前記第２の入力方式による入力の開始を指示するジェスチャーの形状であると認識された場合、その次に検出される位置に基づく入力を前記第２の入力方式による入力であると判定する
ことを特徴とする請求項２乃至７のいずれか１項に記載の情報処理装置。
【請求項９】
前記第２の入力方式による入力の開始を指示するジェスチャーの形状は、用紙の形状であり、
前記ジェスチャー辞書には、
ジェスチャーの形状と、当該ジェスチャーの形状と前記用紙の形状が入力された領域との位置関係と、当該ジェスチャーの形状に対応する印刷設定とが対応付けて規定されており、
前記認識手段は、
前記用紙の形状の次に連続して入力される複数の位置と前記ジェスチャー辞書に格納されたジェスチャーの形状の比較結果と、前記用紙の形状の次に連続して入力される複数の位置と前記用紙の形状が入力された領域の位置関係とに基づいて、当該入力に対応する印刷設定を認識する
ことを特徴とする請求項８に記載の情報処理装置。
【請求項１０】
前記検出手段が、前記複数の入力位置を検出する速度を取得する速度取得手段
を更に具備し、
前記判定手段は、
前記速度取得手段により取得された前記速度と予め定めた値との比較に基づいて前記第１の入力方式による入力であるか、前記第２の入力方式による入力であるかを判定する
ことを特徴とする請求項２乃至９のいずれか１項に記載の情報処理装置。
【請求項１１】
前記指示体により前記表示画面上が指示される際の表示画面上に対する押圧力を取得する押圧力取得手段
を更に具備し、
前記判定手段は、
前記押圧力取得手段により取得された押圧力と予め定めた値との比較に基づいて前記第１の入力方式による入力であるか、前記第２の入力方式による入力であるかを判定する
ことを特徴とする請求項１乃至１０のいずれか１項に記載の情報処理装置。
【請求項１２】
階層構造からなる操作画面を表示画面上に表示する情報処理装置の制御方法であって、
検出手段が、指示体により指示された前記表示画面上の位置を検出する検出工程と、
認識手段が、前記検出工程で検出した位置に基づく入力に対応する処理の内容を、予め辞書に格納された情報に基づいて認識する認識工程と、
判定手段が、前記検出工程で検出した位置に基づく入力が、第１の入力方式による入力であるか、第２の入力方式による入力であるかを判定する判定工程と、
実行手段が、前記判定工程により前記第１の入力方式による入力であると判定された場合、前記認識工程により認識された処理の内容に対応した画面への遷移処理を実施し、前記判定工程により前記第２の入力方式による入力であると判定された場合、前記認識工程により認識された処理の内容に対応した画面よりも上位階層の画面への遷移処理を実施する実行工程と
を具備することを特徴とする情報処理装置の制御方法。
【請求項１３】
コンピュータに読み込ませ実行させることで、前記コンピュータを、階層構造からなる操作画面を表示画面上に表示する情報処理装置として機能させるためのプログラムであって、
前記コンピュータを、
指示体により指示された前記表示画面上の位置を検出する検出手段、
前記検出手段が検出した位置に基づく入力に対応する処理の内容を、予め辞書に格納された情報に基づいて認識する認識手段、
前記検出手段が検出した位置に基づく入力が、第１の入力方式による入力であるか、第２の入力方式による入力であるかを判定する判定手段、
前記判定手段により前記第１の入力方式による入力であると判定された場合、前記認識手段により認識された処理の内容に対応した画面への遷移処理を実施し、前記判定手段により前記第２の入力方式による入力であると判定された場合、前記認識手段により認識された処理の内容に対応した画面よりも上位階層の画面への遷移処理を実施する実行手段
として機能させるためのプログラム。
【手続補正２】
【補正対象書類名】明細書
【補正対象項目名】発明の名称
【補正方法】変更
【補正の内容】
【発明の名称】情報処理装置及びその制御方法及びプログラム
【手続補正３】
【補正対象書類名】明細書
【補正対象項目名】０００１
【補正方法】変更
【補正の内容】
【０００１】
本発明は、情報処理装置及びその制御方法及びプログラムに関する。
【手続補正４】
【補正対象書類名】明細書
【補正対象項目名】０００７
【補正方法】変更
【補正の内容】
【０００７】
上記課題を解決するため、本発明の一態様は、階層構造からなる操作画面を表示画面上に表示する情報処理装置であって、
指示体により指示された前記表示画面上の位置を検出する検出手段と、
前記検出手段が検出した位置に基づく入力に対応する処理の内容を、予め辞書に格納された情報に基づいて認識する認識手段と、
前記検出手段が検出した位置に基づく入力が、第１の入力方式による入力であるか、第２の入力方式による入力であるかを判定する判定手段と、
前記判定手段により前記第１の入力方式による入力であると判定された場合、前記認識手段により認識された処理の内容に対応した画面への遷移処理を実施し、前記判定手段により前記第２の入力方式による入力であると判定された場合、前記認識手段により認識された処理の内容に対応した画面よりも上位階層の画面への遷移処理を実施する実行手段とを具備することを特徴とする。